(57)【要約】      （修正有）【課題】従来の床下放熱器に比べて放熱性能が高いと共に、床下放熱器の設置において、経済性、施工性に優れる床下放熱器を提供する。【解決手段】床下放熱器は、床に形成されたピット３内に設けられる放熱器本体４と、該放熱器本体４を、ピットの底面３ａから所望の距離だけ上方に離間して支持する支持架台と、放熱器本体の側方に設けられると共に、ピットの壁面３ｂから所望の距離だけ離間して設けられる、上方に延びる仕切板６とよりなることを特徴とする。【選択図】図８
2017187187.tif 000002
【特許請求の範囲】
【請求項１】
床に形成されたピット内に設けられる放熱器本体と、
該放熱器本体を、前記ピットの底面から所望の距離だけ上方に離間して支持する支持架台と、
前記放熱器本体の側方に設けられると共に、前記ピットの壁面から所望の距離だけ離間して設けられる、上方に延びる仕切板とよりなることを特徴とする床下放熱器。
【請求項２】
前記放熱器本体は、熱媒体導通管と、該熱媒体導通管に、長手方向に複数固定された放熱フィンとよりなると共に、
前記仕切板は、留め金具により前記放熱器本体に固定され、
該留め金具は、前記仕切板の外側面に当接する当接部と、前記熱媒体導通管に嵌合する逆Ｕ字部と、該当接部と該逆Ｕ字部とを連結する連結部とよりなる棒体よりなり、該留め金具は、該留め金具の逆Ｕ字部が前記熱媒体導通管に上方から嵌合することにより該熱媒体導通管に固定されると共に、前記留め金具の当接部と前記放熱フィンとにより前記仕切板を挟持することにより、該仕切板を前記放熱器本体に固定することを特徴とする請求項１に記載の床下放熱器。
【発明の詳細な説明】
【技術分野】
【０００１】
本発明は、床下放熱器、特に、住宅等の床下に設置される放熱器に関するものである。
【背景技術】
【０００２】
従来の床下放熱器は、住宅等の室内の床に形成された直方体状のピット内に設けられるため、ケーシングなど無く、そのまま設置され、経済性、施工性に優れている。
【０００３】
例えば、床下放熱器としては、特許文献１がある。
【先行技術文献】
【特許文献】
【０００４】
【特許文献１】特開２００２−２６７１８７号公開公報
【発明の概要】
【発明が解決しようとする課題】
【０００５】
本発明は従来の床下放熱器に比べて放熱性能が高いと共に、床下放熱器の設置において、経済性、施工性に優れる床下放熱器を提供することを目的とする。
【課題を解決するための手段】
【０００６】
前記の目的を達成すべく、本発明の床下放熱器は、床に形成されたピット内に設けられる放熱器本体と、該放熱器本体を、前記ピットの底面から所望の距離だけ上方に離間して支持する支持架台と、前記放熱器本体の側方に設けられると共に、前記ピットの壁面から所望の距離だけ離間して設けられる、上方に延びる仕切板とよりなることを特徴とする。
【０００７】
また、前記放熱器本体は、熱媒体導通管と、該熱媒体導通管に、長手方向に複数固定された放熱フィンとよりなると共に、前記仕切板は、留め金具により前記放熱器本体に固定され、該留め金具は、前記仕切板の外側面に当接する当接部と、前記熱媒体導通管に嵌合する逆Ｕ字部と、該当接部と該逆Ｕ字部とを連結する連結部とよりなる棒体よりなり、該留め金具は、該留め金具の逆Ｕ字部が前記熱媒体導通管に上方から嵌合することにより該熱媒体導通管に固定されると共に、前記留め金具の当接部と前記放熱フィンとにより前記仕切板を挟持することにより、該仕切板を前記放熱器本体に固定することを特徴とする。
【発明の効果】
【０００８】
本発明によれば、従来の床下放熱器に比べて放熱性能が高いと共に、床下放熱器の設置において、経済性、施工性に優れるという効果がある。
【図面の簡単な説明】
【０００９】
【図１】本発明の実施例１の手前側の仕切板を省略した床下放熱器の説明用側面図である。
【図２】本発明の実施例１の床下放熱器の平面図である。
【図３】本発明の実施例１の正面図である。
【図４】本発明の実施例１の支持架台の正面図である。
【図５】本発明の実施例１の支持架台の側面図である。
【図６】本発明の実施例１の留め金具の正面図である。
【図７】従来の床下放熱器の空気の流れを示す説明用正面図である。
【図８】本発明の実施例１の床下放熱器の空気の流れを示す説明用正面図である。
【図９】本発明の実施例２の放熱器本体の正面図である。
【図１０】本発明の実施例２の支持架台の正面図である。
【図１１】本発明の実施例２の留め金具の正面図である。
【図１２】従来の床下放熱器の空気の流れを示す説明用正面図である。
【図１３】本発明の実施例２の床下放熱器の空気の流れを示す説明用正面図である。
【発明を実施するための形態】
【００１０】
本発明を実施するための形態の実施例を以下に示す。
【実施例１】
【００１１】
本発明の床下放熱器の実施例１を図１〜図６によって説明する。
【００１２】
１は、住宅等の室内の床２に形成された直方体状のピット３内に載置し固定される床下放熱器を示し、該床下放熱器１は、放熱器本体４と、該放熱器本体４を所望の高さで支持して固定する支持架台５と、上昇流（対流）形成用の仕切板６と、該仕切板６を前記放熱器本体４に固定する留め金具７とよりなる。
【００１３】
前記放熱器本体４は、温水等が流通するＵ字管８などの熱媒体導通管と、該Ｕ字管８からの熱を外部に放出する複数の矩形薄板状の放熱フィン９とよりなる。また、該Ｕ字管８は、前記ピット３の底面３ａに沿って長手方向に延びると共に、該Ｕ字管８を構成する一対の管８ａ、８ｂが水平面内に左右に離間して位置するように横置に設置される。また、前記複数の放熱フィン９は、それぞれ同形状の横長の矩形状に形成され、該各放熱フィン９は、前記Ｕ字管８に、長手方向に所望の間隔だけそれぞれ離間すると共に、該各放熱フィン９の面が、前記Ｕ字状管８の管の方向に対して直角となるように、それぞれ固定されている。
【００１４】
なお、前記Ｕ字管８の長さは、例えば、１，０００ｍｍ〜２，４００ｍｍであり、また、前記矩形状の放熱フィン９は、幅１２０ｍｍ〜１８０ｍｍ、高さ５０ｍｍ〜１１０ｍｍである。但し、数値はこれらに限定されることはない。
【００１５】
前記支持架台５は、前記放熱器本体４の長手方向の一端及び他端にそれぞれ配置されて、前記放熱器本体４を前記底面３ａから所望の高さで支持するように形成され、該各支持架台５は、例えば、図４及び図５に示すように、矩形状の垂直板部５ａと、該垂直板部５ａの下端で直角に折れ曲がって連設された取付板部５ｂと、前記垂直板部５ａの上端辺に形成された、管挿入用の溝部５ｃ、５ｃなどからなる管支持部とよりなる。
【００１６】
そして、前記各支持架台５の取付板部５ｂが、図１、図３に示すように、取付ボルト１０等を介して、前記ピット３の底面３ａに固定される。また、前記各垂直板部５ａの各溝５ｃ、５ｃに、それぞれ前記Ｕ字管８の各管８ａ、８ｂの一端及び他端がそれぞれ挿入されて、該Ｕ字管８が支持されるようになる。
【００１７】
また、前記仕切板６は、例えば、矩形状に形成され、長手方向に延びる放熱器本体４の両側に沿って、該放熱器本体４に、それぞれ前記留め金具７により垂直状態で固定される。
【００１８】
また、前記放熱器本体４は、該放熱器本体４に固定された各仕切板６が、該各仕切板６に対向する前記ピット３の壁面３ｂからそれぞれ所望の距離、例えば、１００ｍｍ以上離間するように配置される。
【００１９】
なお、前記仕切板６の幅は、例えば、７００ｍｍ、又は８００ｍｍであり、高さは、例えば、２００ｍｍ、又は３００ｍｍであり、前記放熱器本体４の長さによって、１枚、或いは、２枚以上の仕切板６を長手方向に連結して固定するようにする。但し、数値はこれらに限定されることはない。
【００２０】
前記留め金具７は、前記仕切板６を、前記底面３ａから所望の高さの位置で、前記放熱器本体４に固定する金具であり、例えば、該留め金具７は、図６に示すように、前記放熱板６の外側面に当接すると共に前記放熱器本体４（放熱フィン９）の下端から上方に延びる起立した直線状の当接部７ａと、左右に並ぶ前記管８ａ、８ｂを上方から嵌合する逆Ｕ字部７ｂと、前記当接部７ａの根部と前記逆Ｕ字部７ｂの端部とを連結すると共に前記仕切板６を載置する載置部７ｃを有する連結部７ｄとよりなる１本の弾性部材よりなる棒体よりなる。
【００２１】
なお、７ｅは、前記留め金具７の当接部７ｂの上端に形成したツマミ部である。
【００２２】
そして、前記留め金具７は、該留め金具７の逆Ｕ字部７ｂが前記Ｕ字管８に、上方から嵌合することにより、前記放熱器本体４に固定され、また、前記仕切板６は、前記当接部７ａと前記放熱フィン９の外側面とにより挟持されると共に、前記載置部７ｃに載置されて、前記放熱器本体４に固定されるようになる。
【００２３】
次に、本発明の床下放熱器の作用とその効果について説明する。
【００２４】
従来の仕切板のない床下放熱器では、図７に示すように、放熱器ａの下方に空気が導入され、該空気が暖められて、そして隣接する放熱フィン間で上昇流が生じ、該放熱器ａよりも上方においては、それ以上強い上昇流が生じないが、本発明の床下放熱器によれば、図８に示すように、仕切板６とピットの壁面３ｂとの間の外側空間部分１１を空気が下降し、底面３ａと前記仕切板６の下端との間を通って、放熱器本体４の下側に入り込み、該空気が前記放熱本体４により温められ、そして、隣接する放熱フィン９間で上昇流が生じ、更に、該放熱フィン９よりも上方においても、前記仕切板６，６間の内側空間部分１２で、強い上昇流が生じ、従来よりも放熱量を増やすことができるようなる。
【００２５】
また、前記ピット３内に床下放熱器を設置するために、前記仕切板６を前記放熱器本体４に固定する場合には、前記放熱器本体４のＵ字管８を利用して、前記留め金具７を該Ｕ字管８に差し込み、そして、該留め金具７と放熱フィン９間との間に、仕切板６を挟み込むことにより、該仕切版６を所望の位置で固定できるので、経済性及び施工性に優れる。
【実施例２】
【００２６】
前記第１の実施例は、Ｕ字管の一対の管８ａ、８ｂが左右に離間し、放熱フィン９が横長である横置型の放熱器本体の床下放熱器の場合であるが、本発明の第２の実施例の床下放熱器は、図９に示すように、Ｕ字管１３の一対の管１３ａ、１３ｂが上下に離間し、放熱フィン１４が縦長の縦置型の放熱器本体１５の床下放熱器からなる。
【００２７】
本発明の第２の実施例の床下放熱器においては、前記第１実施例の前記垂直板部５ｂの上端辺の管支持部を溝部５ｃ、５ｃから構成する代わりに、図１０に示すように、該管支持部を、一つの下方に延びる長溝５ｄから構成し、該各支持架台５の長溝部５ｄに、前記上下の管１３ａ、１３ｂの一端及び他端を挿入して、該Ｕ字管１３を支持し、前記放熱器本体１５を前記支持架台５に支持されるようにする。
【００２８】
また、前記第１の実施例の前記留め金具７を用いる代わりに、図１１に示すように、留め金具１６を用い、該止め金具１６は、前記放熱板６の外側面に当接すると共に前記放熱器本体１５（放熱フィン１４）の下端から上方に延びる起立した直線状の当接部１６ａと、上下に並ぶ前記管１３ａ、１３ｂを上方から嵌合する逆Ｕ字部１６ｂと、前記当接部１６ａの根部と前記逆Ｕ字部１６ｂの端部とを連結すると共に前記仕切板６を載置する載置部１６ｃを有する連結部１６ｄとよりなる１本の弾性部材よりなる棒体より構成する。
【００２９】
なお、１６ｅは、前記留め金具１６の当接部１６ｂの上端に形成したツマミ部である。
【００３０】
前記第２実施例の縦置型の床下放熱器においても、従来の仕切板のない床下放熱器では、図１２に示すように、放熱器ｂの下方に空気が導入され、該空気が暖められて、そして隣接する放熱フィン間で上昇流が生じ、該放熱器ｂよりも上方においては、それ以上強い上昇流が生じないが、本発明の床下放熱器によれば、図１３に示すように、仕切板６とピットの壁面３ｂとの間の外側空間部分１１を空気が下降し、底面３ａと前記仕切板６の下端との間を通って、放熱器本体１５の下側に入り込み、該空気が前記放熱本体１５により温められ、そして、隣接する放熱フィン１４間で上昇流が生じ、更に、該放熱フィン１４よりも上方においても、前記仕切板６，６間の内側空間部分１２で、強い上昇流が生じ、従来よりも放熱量を増やすことができるようなる。
【００３１】
また、前記ピット３内に第２の実施異例の床下放熱器を設置するために、前記仕切板６を前記放熱器本体１５に固定する場合にも、前記放熱器本体１５のＵ字管１３を利用して、前記留め金具１６を該Ｕ字管１３に差し込み、そして、該留め金具１３と放熱フィン１４間との間に、仕切板６を挟み込むことにより、該仕切版６を所望の位置で固定できるので、経済性及び施工性に優れる。
【００３２】
なお、前記熱媒体導通管として、Ｕ字管を用いる代わりに、１本の管からなるものであってもよい。
【００３３】
また、２本のＵ字管を左右又は、左右に並列した放熱器本体を用いるようにしても良い。
【産業上の利用可能性】
【００３４】
本発明の床下放熱器は、住宅以外に、あらゆる施設に利用できる。
【符号の説明】
【００３５】
１      床下放熱器
２      床
３      ピット
３ａ    底面
３ｂ    壁面
４      放熱器本体
５      支持架台
５ａ    垂直板部
５ｂ    取付板部
５ｃ    溝部
５ｄ    長溝部
６      仕切板
７      留め金具
７ａ    当接部
７ｂ    逆Ｕ字部
７ｃ    載置部
７ｄ    連結部
７ｅ    ツマミ部
８      Ｕ字管
８ａ    管
８ｂ    管
９      放熱フィン
１０    取付ボルト
１１    外方空間部分
１２    内側空間部分
１３    Ｕ字管
１３ａ  管
１３ｂ  管
１４    放熱フィン
１５    放熱器本体
１６    留め金具
１６ａ  当接部
１６ｂ  逆Ｕ字部
１６ｃ  載置部
１６ｄ  連結部
１６ｅ  ツマミ部
【図１】
2017187187.tif 000003
【図２】
2017187187.tif 000004
【図３】
2017187187.tif 000005
【図４】
2017187187.tif 000006
【図５】
2017187187.tif 000007
【図６】
2017187187.tif 000008
【図７】
2017187187.tif 000009
【図８】
2017187187.tif 000010
【図９】
2017187187.tif 000011
【図１０】
2017187187.tif 000012
【図１１】
2017187187.tif 000013
【図１２】
2017187187.tif 000014
【図１３】
2017187187.tif 000015